(57)【要約】【課題】電源投入時における突入電流や、遮断時における回生電流が与える影響を抑制すると共に、小規模な構成によるリニアソレノイドの駆動装置を提供する。【解決手段】車両のバッテリ３０から電源を供給する第一開閉器５０及び第二開閉器５と、第一開閉器５０を介して供給される電源により動作する制御装置４と、第二開閉器５を介して供給される電源により動作するブリッジ回路１０と、ブリッジ回路１０と並列接続されたコンデンサＣ１と、コンデンサＣ１を充電するプリチャージ回路６と、を備え、ブリッジ回路１０に備えられたスイッチング手段１，３を制御装置４によりスイッチング制御することにより、リニアソレノイド２０を駆動する駆動装置において、制御装置４は、制御装置４が動作を開始した後、所定時間経過後に第二開閉器５を閉制御する。【選択図】        図１
2007019293.tif 000002
【特許請求の範囲】
【請求項１】
車両のバッテリから電源を供給する第一開閉器と、閉成された前記第一開閉器を介して供給される電源により動作する制御装置と、この制御装置により開閉制御されて前記バッテリから電源を供給する第二開閉器と、閉成された前記第二開閉器を介して供給される電源により動作するブリッジ回路と、このブリッジ回路と並列接続された電源安定化のためのコンデンサと、前記第一開閉器を介して供給される電源により前記コンデンサを充電するプリチャージ回路と、を備え、前記ブリッジ回路に備えられたスイッチング手段を前記制御装置によりスイッチング制御することにより、前記ブリッジ回路に接続されたリニアソレノイドを駆動するリニアソレノイドの駆動装置において、
前記制御装置は、前記制御装置が動作を開始した後、所定時間経過後に前記第二開閉器を閉制御するリニアソレノイドの駆動装置。
【請求項２】
前記所定時間は、前記コンデンサと前記プリチャージ回路との過渡応答時の時定数に基づいて定められる請求項１に記載のリニアソレノイドの駆動装置。
【請求項３】
前記所定時間は、前記制御装置への電源投入後、前記制御装置が初期設定を行う時間である請求項１に記載のリニアソレノイドの駆動装置。
【請求項４】
前記第二開閉器は、フライホイールダイオードを内蔵した電界効果トランジスタにより構成される請求項１に記載のリニアソレノイドの駆動装置。
【請求項５】
前記ブリッジ回路は、少なくとも過電流の発生を検出して自己診断を行う診断部と、前記制御装置が出力する第一制御信号と前記診断部の診断結果とに基づいて開閉制御されるスイッチ部と、前記診断部の診断結果を出力する診断結果出力部とを有する第一スイッチング手段をハイサイドスイッチとし、前記制御装置が出力するパルス幅変調された第二制御信号に基づいて開閉制御される第二スイッチング手段をローサイドスイッチとする非対称ハーフブリッジとして構成される請求項１〜４の何れか一項に記載のリニアソレノイドの駆動装置。
【発明の詳細な説明】
【技術分野】
【０００１】
本発明は、リニアソレノイドの駆動装置に関し、特に自動車エンジンの防振装置のアクチュエータとして使用されるリニアソレノイドの駆動装置に関する。
【背景技術】
【０００２】
自動車用のパワー制御、即ちモータやソレノイドなどのアクチュエータを駆動するパワー系の回路は、通常、下記のように行われる。イグニッションスイッチがオンされると、まず始めに制御系のマイクロプロセッサやその周辺回路などの電子回路にバッテリから電源が供給される。制御系の電子回路は、アクチュエータの駆動電源を供給するための電気式開閉装置の開閉制御を行う。アクチュエータの駆動電源は、バッテリから電気式開閉装置を介してアクチュエータ駆動回路に供給される。ここで、電気式開閉装置には従来、メカニカルリレーが使われている。
【０００３】
また、アクチュエータ駆動回路には、しばしばブリッジ回路が用いられる。アクチュエータがモータである場合には、回転方向の切り替えが必要な場合があり、ブリッジ回路は回転方向の切り替えを制御し易い。また、モータ、ソレノイドの何れも誘導性負荷であり、誘導性負荷は電流の供給が途絶えた後にも誘導起電力により電流を流そうとする性質がある。この誘導電流の回生が容易であるという点もブリッジ回路の利点である。
ブリッジ回路の近傍には、電源安定化用の電解コンデンサが配置される。この電解コンデンサは、数百μ〜千μ［Ｆ］程度の大容量のものが使用される。大容量化することにより、電源インピーダンスを低く保ち、例えば、ブリッジ回路にパルス幅変調された制御信号を与えて精密制御する場合、制御信号の波形のデューティー比に正確に応答できるようにしている。
上述したアクチュエータ駆動回路は、ブリッジ回路と大容量コンデンサとを示すものである。
【０００４】
ところで、上述したように、アクチュエータの駆動電源は、メカニカルリレーなどの電気式開閉装置によって、開閉制御されて供給される。この閉制御の瞬間は、電気的には過度状態である。電源安定用の大容量コンデンサのインピーダンスは、静電容量の逆数となるので、過度状態における電源−グラウンド間のインピーダンスは非常に小さくなる。このため、電源−グラウンド間には大きな過度電流、いわゆる突入電流が流れる。この突入電流により、メカニカルリレーの接点が溶着するなどの問題が発生する場合がある。
【０００５】
下記に示す特許文献１には、このような問題に鑑みて、接点を閉じた際の突入電流を少なくする電動機駆動装置が開示されている。この電動機駆動装置は、メカニカルリレーの接点を閉じる前に、電源安定化用コンデンサに電荷をチャージするプリチャージ回路を備える。そして、電源安定化用コンデンサの両端子電圧を分圧した分圧電圧を検出する。電源安定化用コンデンサの両端電圧は、対数関数的にバッテリ電圧に向かって上昇する。つまり、単位時間当たりの分圧電圧の変化量は、時間と共に小さくなる。従って、分圧電圧の変化量が設定値以下となったときに充電状態を判断する。そして、充分に充電されたと判断された場合に、メカニカルリレーの接点が閉じられる。電源安定化用コンデンサは、ほぼ満充電に近い状態であるので、メカニカルリレーの接点を閉じたことによる突入電流の発生は、極めて少ない。
【０００６】
特許文献１には、電源安定化用コンデンサの両端電圧の分圧電圧を検出することなく、充電状態を判断する他の方法も示されている。電源安定化用コンデンサの静電容量と、バッテリ電圧とは既知であるから、完全に放電状態にある状態から満充電されるまでの時間を計算することができる。これをプリチャージ時間として予め設定しておく。そして、イグニッションスイッチがオン状態であることを検出した時点から、プリチャージ時間が経過すると、メカニカルリレーの接点を閉じるというものである。
【０００７】
さらに、イグニッションスイッチがオフ状態に操作されたことを検出し、電動機に供給する電流を徐々に低減させるフェードアウト処理を行うようにしている。これは、イグニッションスイッチがオフ状態に操作され、メカニカルリレーの接点がそれに続いて開いた場合に、突然電動機へ供給される電流が遮断されることを防ぐためである。特許文献１に記載の電動機駆動装置は、自動車の電動パワーステアリング装置に適用されるものである。従って、特に電動機から供給される補助トルクが急激にゼロとなり、操舵感が急激に変化することを解消するようにしたものである。
【０００８】
【特許文献１】特許第３５９５１５５号公報（第７〜１５段落、第２０〜２１段落、第３０〜３６段落、第４７〜５０段落、第２〜３図）
【発明の開示】
【発明が解決しようとする課題】
【０００９】
特許文献１に記載の電動機駆動装置は、電源安定化用コンデンサの充電状態を正確に検出するための検出回路が必要であり、駆動装置の規模が大きくなる。プリチャージ時間を予め設定しておく方法では、このような規模の増大を招くことはない。しかし、イグニッションスイッチの操作状態を検出する検出回路を要し、マイクロプロセッサには、この検出結果が入力される入力ポートが必要である。マイクロプロセッサの入力ポートは、種々の信号の入力に使用されるので、限られた入力ポートをイグニッションスイッチの操作状態の検出のために用いるのは好ましくない。また、入力ポートの数を確保するために端子数の多いマイクロプロセッサを用いると、コストの上昇や、装置面積を増大を招く場合がある。
【００１０】
また、特許文献１に記載の電動機駆動装置は、電動パワーステアリング装置に適用するために、フェードアウト処理機能を有している。そのため、イグニッションスイッチがオフ状態となった後にフェードアウト処理を行い、さらにその後マイクロプロセッサ自身の終了処理を行う必要が生じる。マイクロプロセッサの処理が複雑になり、ウォッチドッグタイマなどの周辺回路も必要であり、電動機駆動装置の規模が大きくなる。
【００１１】
本願発明に係るリニアソレノイドの駆動装置は、特に自動車エンジンの機械的振動を抑制するために振動方向とは反対に自動車エンジンを動かす防振装置に適用されるものである。従って、運転者が直接操作するステアリングなどとは異なり、必ずしも、急激な変化を嫌ってフェードアウト処理を有する必要はない。ただし、フェードアウト処理を実施しない場合には、ブリッジ回路で生じた回生電流がメカニカルリレーで遮断されるため、ブリッジ回路が高電圧で破壊される可能性がある。これを防止するためにメカニカルリレーにフライホイールダイオードを付加すると、部品点数が増化する。また、メカニカルリレーでは接点開閉時に機械音が発生するために、特にラグジュアリカーでは、静音化対策が必要となり、コスト上昇の要因となる。
【００１２】
本願発明は上記課題に鑑みてなされたもので、電源投入時における突入電流や、遮断時における回生電流が与える影響を抑制すると共に、小規模な構成によるリニアソレノイドの駆動装置を提供することを目的とする。また、併せて静音化対策が不要なリニアソレノイドの駆動装置を提供することを目的とする。
【課題を解決するための手段】
【００１３】
上記目的を達成するため、本発明に係る、車両のバッテリから電源を供給する第一開閉器と、閉成された前記第一開閉器を介して供給される電源により動作する制御装置と、この制御装置により開閉制御されて前記バッテリから電源を供給する第二開閉器と、閉成された前記第二開閉器を介して供給される電源により動作するブリッジ回路と、このブリッジ回路と並列接続された電源安定化のためのコンデンサと、前記第一開閉器を介して供給される電源により前記コンデンサを充電するプリチャージ回路と、を備え、前記ブリッジ回路に備えられたスイッチング手段を前記制御装置によりスイッチング制御することにより、前記ブリッジ回路に接続されたリニアソレノイドを駆動するリニアソレノイドの駆動装置は、下記の特徴を備える。
即ち、前記制御装置は、前記制御装置が動作を開始した後、所定時間経過後に前記第二開閉器を閉制御する点を特徴とする。
【００１４】
上述した特許文献１に記載のプリチャージ方法では、第一開閉器に相当するイグニッションスイッチがオンされたことを検出し、その後所定時間経過後に第二開閉器に相当するリレーの接点を閉じている。あるいは、充電状態を検出し、第二開閉器に相当するリレーの接点を閉じている。本発明では、第一開閉器がオンされたことや充電状態を検出しないので、駆動装置の構成を小規模にすることができる。
また、制御装置に電源が供給され、制御装置が動作を開始する際には、プリチャージ回路を介して既にコンデンサへの充電が開始されている。従って、特許文献１のように、制御装置が自己の初期設定などを完了した後に、コンデンサを満充電するのに充分な時間を取ると、プリチャージ完了までの時間が長くなってしまう。本発明によれば、速やかにプリチャージを完了して、第二開閉器を閉制御することができる。
【００１５】
ここで、前記所定時間は、前記コンデンサと前記プリチャージ回路との過渡応答時の時定数に基づいて定められると好適である。
【００１６】
所定時間は、コンデンサをプリチャージする上で充分な時間であることが望ましい。余裕をもって考えれば、コンデンサが完全に放電状態にある状態から満充電されるまでの時間に基づいて定められるとよい。しかし、コンデンサの端子電圧と経過時間との関数は対数関数的である。従って、コンデンサが定常値まで充電される時間は、理論的には無限大である。このため、充電時間は、コンデンサとプリチャージ回路との過渡応答時の時定数τ（タウ）に基づいて考えればよい。理論的に、充電開始τ秒後には、コンデンサが満充電された場合の端子電圧の定常値の６３．２％に達する。また、充電開始後５τ秒後には、定常値の９９．３％に達する。これらは、過渡現象の理論計算より導かれる数値であるから、時定数τに基づいて適切な充電時間を所定時間として設定すればよい。このようにすれば、確実且つ無駄なくコンデンサのプリチャージを行うことができる。その結果、電源投入時における突入電流が与える影響を抑制することができる。
【００１７】
また、前記所定時間が、前記制御装置への電源投入後、前記制御装置が初期設定を行う時間であると好適である。
【００１８】
周辺回路の診断等を含む制御装置の初期設定にはある程度の時間を要する。上述した時定数τに基づき計算された所定時間（例えば５τ）が制御装置の初期設定時間よりも短かければ、初期設定を終了した時点で、コンデンサの充電が完了していると考えてよい。また、所定時間が制御装置の初期設定時間よりも長い場合であっても、初期設定が完了する時点である程度充電はできている。例えば、２τの時間を経過していれば、理論的には定常値の８７％には達している。従って、ここで第二開閉器が閉制御されたとしても、突入電流は充電開始前と比較して著しく少ない。従って、電源投入時における突入電流が与える影響を抑制することができる。所定時間が、制御装置への電源投入後、制御装置が初期設定を行う時間であれば、制御装置は、初期設定を終えた後、直ちに第二開閉器のオン制御を実行できる。つまり、特別に時間測定や電圧の判定処理などの演算を伴うことなく、第二開閉器をオンさせることができる。その結果、制御装置の演算付加を軽くすることができる。
尚、「初期設定後、直ちに」とは、初期設定と第二開閉器のオン制御との間にいかなる制御（プログラム・ステップ）も含まれないというものではない。他の処理（プログラム・ステップ）が、この間に含まれても、時間測定や電圧の判定などを伴わずに第二開閉器がオン制御されれば本発明の技術範囲に属するものである。
【００１９】
また、前記第二開閉器が、フライホイールダイオードを内蔵した電界効果トランジスタにより構成されると好適である。
【００２０】
本発明は、特許文献１に記載の駆動装置と異なり、フェードアウト機能を備えていない。従って、第一開閉器が開状態となり、制御装置への電源供給が途絶えると、第二開閉器への制御信号も初期状態となり、第二開閉器も開状態となる。このとき、リニアソレノイドが駆動中であると、電流の供給が突然途絶えることとなる。リニアソレノイドは誘導電流を発生し、ブリッジ回路はこれを回生するが、第二開閉器が開いてしまっているため、誘導電流の最終的な行き場がない。その結果、ブリッジ回路などに高電圧が印加され、これを破壊してしまう場合がある。しかし、本発明では第二開閉器をフライホイールダイオードを内蔵した電界効果トランジスタにより構成するので、誘導電流を良好に回生することができる。その結果、フェードアウト機能を備えなくとも、電源遮断時において回生電流が与える影響を抑制することができる。つまり、小規模な構成で回生電流が与える影響を抑制することができる。また、メカニカルリレーではなく、電界効果トランジスタを第二開閉器として用いているので、機械的な接点音が発生しない。従って、特別な静音対策を講じる必要もない。
【００２１】
また、前記ブリッジ回路が、少なくとも過電流の発生を検出して自己診断を行う診断部と、前記制御装置が出力する第一制御信号と前記診断部の診断結果とに基づいて開閉制御されるスイッチ部と、前記診断部の診断結果を出力する診断結果出力部とを有する第一スイッチング手段をハイサイドスイッチとし、前記制御装置が出力するパルス幅変調された第二制御信号に基づいて開閉制御される第二スイッチング手段をローサイドスイッチとする非対称ハーフブリッジとして構成されると好適である。
【００２２】
非対称ハーフブリッジは、フルブリッジと比べて規模の小さい回路である。また、第一スイッチング手段は診断部と第一制御信号とに基づいて開閉制御するので、突入電流以外の理由による過電流などからもブリッジ回路やソレノイドを保護することができる。その結果、電源投入時における突入電流や、遮断時における回生電流が与える影響を抑制すると共に、信頼性が高く、小規模な構成によるリニアソレノイドの駆動装置を提供することができる。
【発明を実施するための最良の形態】
【００２３】
以下、本発明の実施形態を自動車のエンジンの防振装置におけるリニアソレノイドの駆動装置を例に、図面に基づいて説明する。図１は、本発明に係るリニアソレノイドの駆動装置の構成を模式的に示すブロック図である。
本発明に係るリニアソレノイドの駆動装置は、他の回路と共にＥＣＵ（Electronic Control Unit）１００に備えられている。ＥＣＵ１００には、制御装置としてのＭＰＵ（マイクロプロセッサ：Micro Processing Unit）４が備えられており、リニアソレノイド２０を駆動する制御信号ＣＳ１及びＣＳ２を出力する。詳細は後述するが、本実施形態では、第二制御信号ＣＳ２がパルス幅変調（ＰＷＭ：pulse width modulation）された制御信号であり、この信号によりリニアソレノイド２０が精密に制御される。
【００２４】
ブリッジ回路は、少なくとも過電流の発生を検出する診断機能を有するＩＰＤ（インテリジェント・パワー・デバイス：Intelligent Power Device）１と、パワーＭＯＳＦＥＴ２とを備えて構成されている。ＩＰＤ１は、本発明の第一スイッチング手段に相当する。パワーＭＯＳＦＥＴ２は、本発明の第二スイッチング手段に相当し、Ｎチャネル型である。
【００２５】
図に示すように、ブリッジ回路はＩＰＤ１とパワーＭＯＳＦＥＴ２とで非対称ハーフブリッジ１０として構成されている。非対称ハーフブリッジであるから、ＩＰＤ１とパワーＭＯＳＦＥＴ２とが備えられていない辺には、それぞれ逆方向接続されたダイオードが備えられる。つまり、ＩＰＤ１は、グラウンド側からＩＰＤ１へ向かう方向を順方向とするフライホイールダイオード３ａと直列に接続されている。パワーＭＯＳＦＥＴ２は、パワーＭＯＳＦＥＴ２から電源電圧ＶＤＤ側へ向かう方向を順方向とするフライホイールダイオード３ｂと直列に接続されている。
リニアソレノイド２０は誘導性負荷であり、誘導性負荷は電流の供給が途絶えた後にも誘導起電力により電流を流そうとする性質がある。この誘導電流の回生が容易であるという点もブリッジ回路の利点である。つまり、リニアソレノイド２０で発生する誘導電流は、フライホイールダイオード３を介して電源及びグラウンドへ回生される。
【００２６】
また、非対称ハーフブリッジ１０の近傍には、電源安定化用の電解コンデンサＣ１（本発明のコンデンサに相当する。）が配置される。この電解コンデンサは、数百μ〜千μ［Ｆ］程度の大容量のものが使用される。大容量化することにより、電源インピーダンスを低く保ち、ブリッジ回路に与えられるＰＷＭ制御の信号波形のデューティー比に正確に応答できるようにしている。
【００２７】
ＥＣＵ１００への電源供給は、電圧ＶＢを出力するバッテリ３０からヒューズ４０を介して、及びイグニッションスイッチ（ＩＧＳＷ：ignition switch）５０を介して行われる。ヒューズ４０を介して供給される電圧ＶＢは、ＥＣＵ１００内のＮチャネルＭＯＳＦＥＴ５によってスイッチングされて、リニアソレノイドの駆動装置を構成する各回路へ伝達される。ＩＧＳＷ５０は本発明の第一開閉器に相当し、ＮチャネルＭＯＳＦＥＴ５は本発明の第二開閉器に相当する。詳細は、後述するがＦＥＴ５は、フライホイールダイオード５ｂを内蔵しており、このフライホイールダイオード５ｂとトランジスタ部５ａとで、ＦＥＴ５を構成している。
【００２８】
ＦＥＴ５のトランジスタ部５ａがスイッチングによりオン状態に遷移する瞬間は、電気的には過度状態である。電源安定用の電解コンデンサＣ１のインピーダンスは、静電容量の逆数となる。電解コンデンサＣ１の静電容量は非常に大きいので、過度状態における電源−グラウンド間のインピーダンスは非常に小さくなる。このため、電源−グラウンド間には大きな過度電流、いわゆる突入電流が流れる。この突入電流を抑制するために、プリチャージ回路６が備えられている。
【００２９】
プリチャージ回路６は、抵抗器６ａとダイオード６ｂとにより構成されている。ＩＧＳＷ５０がオンされた瞬間にも、突入電流が流れる。抵抗器６aはこの過渡電流に対するインピーダンスとなり、突入電流を小さくするための突入電流防止用抵抗器である。ダイオード６ｂは、電解コンデンサＣ１が充電されるまで、バッテリＢから電荷を供給する。通常、ダイオードには順方向電圧の電圧降下が発生するため、電解コンデンサＣ１は理論的にはバッテリ電圧ＶＢよりも０．６〜０．７Ｖ低い電圧まで充電される。電解コンデンサＣ１が定常値まで充電される時間は、理論的には無限大である。そこで、充電時間は、抵抗器６ａの抵抗値と、ダイオード６ｂのインピーダンスと、電解コンデンサＣ１とから算出できる時定数τに基づいて考えればよい。例えば、充電開始後τ秒後には、電解コンデンサＣ１が満充電された場合の端子電圧の定常値の６３．２％に達する。そして、充電開始後５τ秒後には、定常値の９９．３％に達する。これらは、過渡現象の理論計算より導かれる数値であるから、時定数τに基づいて充電時間を設定すればよい。つまり、充電完了と考える所定時間は、電解コンデンサＣ１とプリチャージ回路６との過渡応答時の時定数に基づいて定められるとよい。
【００３０】
尚、本実施形態に係るリニアソレノイドの駆動装置は、特許文献１に記載の駆動装置と異なり、フェードアウト機能を備えていない。つまり、リニアソレノイド２０の動作中に、ＩＧＳＷ５０が開（オフ）状態となり、ＭＰＵ４への電源供給が途絶えると、ＦＥＴ５への制御信号も初期状態となってＦＥＴ５もオフ状態となる。動作中のリニアソレノイド２０にとっては、電流の供給を突然停止されることとなる。リニアソレノイド２０は誘導電流を発生し、ブリッジ回路はこの誘導電流を回生する。しかし、ＦＥＴ５のトランジスタ部５ａがオフされてしまっているため、誘導電流の最終的な行き場がない。その結果、ブリッジ回路などに高電圧が印加され、これを破壊してしまう場合がある。しかし、図１に示すように本実施形態では、第二開閉器としてのＦＥＴ５をフライホイールダイオード５ｂを内蔵した電界効果トランジスタにより構成している。このため、ＦＥＴ５のトランジスタ部５ａがオフされていても、内蔵されたフライホイールダイオード５ｂを介して、誘導電流が良好に回生される。
【００３１】
レギュレータ７は、通常１２Ｖ程度のバッテリ電圧ＶＢをＭＰＵ４などの電子回路の動作電圧である５Ｖや３．３Ｖの電圧ＶＣＣに降圧する半導体集積回路である。ＩＧＳＷ５０がオンされると、上述したように電解コンデンサＣ１が充電（プリチャージ）されると共に、レギュレータ７によってＭＰＵ４の電源電圧ＶＣＣが生成される。
【００３２】
ＭＰＵ４は、電源電圧ＶＣＣを与えられるとプログラムに従って動作を開始する。尚、電源電圧ＶＣＣで動作するリセット回路（不図示）を有し、電源電圧ＶＣＣがリセット回路及びＭＰＵ４に与えられた後、一定時間リセットを掛けるように構成してもよい。電源電圧ＶＣＣが与えられ、又はリセットが解除されると、ＭＰＵ４は自己の初期設定（イニシャライズ：initialize）を行う。ＭＰＵ４が動作を開始する起点は、電源電圧ＶＣＣがＭＰＵ４の電気的特性を満足する一定電圧を超えてＭＰＵ４に与えられた時点、あるいはリセットが解除された時点である。初期設定を終えると、電源制御信号ＣＳ０をＨ（ハイ）レベルで出力する。電源制御信号ＣＳ０によって、ＮチャネルＭＯＳＦＥＴであるトランジスタ部５ａがオンされると、バッテリ３０、ヒューズ４０と、ＦＥＴ５とを介して、電圧ＶＢが非対称ハーフブリッジ１０及び電解コンデンサＣ１に供給される。
【００３３】
ここで、上述した時定数τに基づき計算された所定の充電時間がＭＰＵ４の初期設定時間よりも短ければ、初期設定を終了した時点で電解コンデンサＣ１の充電が完了していると考えてよい。また、例えば２τの時間を経過していれば、定常状態の約８７％には達しているため、充分に充電できていると考えてもよい。少なくとも、プリチャージにより電解コンデンサＣ１の未充電の静電容量は減少しており、電解コンデンサＣ１のインピーダンスは充電開始前よりも確実に大きくなっている。従って、ＭＰＵ４が初期設定完了後、直ちに電源制御信号ＣＳ０を出力してＦＥＴ５をオンさせても、突入電流を確実に減少させることができている。もちろん、ＭＰＵ４に電源が投入された後、例えば５τに相当する所定時間経過後に、電源制御信号ＣＳ０を出力してＦＥＴ５をオンさせてもよい。
【００３４】
ＦＥＴ５がオンされると、電解コンデンサＣ１は、ほぼ電圧ＶＢに近い電源電圧ＶＤＤまで充電される。ヒューズ４０の抵抗値と、ＦＥＴ５のドレイン−ソース間のオン抵抗とは非常に小さいため、大きな電圧降下は発生しない。ＦＥＴ５がオンされる時、電解コンデンサＣ１は、プリチャージ回路６を介してすでに電圧ＶＢよりも０．６〜０．７Ｖ低い程度の電圧値まで充電されている。従って、電解コンデンサＣ１は、新たに大きな突入電流を伴うことなく、ほぼ電圧ＶＤＤまで充電される。
【００３５】
ＭＰＵ４には、リニアソレノイド２０によって機械的に制御される対象物、例えば自動車のエンジンなどに備えられたセンサ６０からの検出信号が入力されている。センサ６０は、例えば振動センサであり、機械的な振動の大きさや方向、周波数などの情報をＭＰＵ４に提供する。
ＭＰＵ４は、与えられた機械的な振動情報をプログラムに基づいて情報処理し、この機械的な振動を吸収するようにリニアソレノイド２０を駆動するための制御信号を出力する。
【００３６】
リニアソレノイドを駆動するブリッジ回路は、ＩＰＤ（第一スイッチング手段）１をハイサイドスイッチとし、Ｎチャネル・パワーＭＯＳＦＥＴ（第二スイッチング手段）２をローサイドスイッチとする、非対称ハーフブリッジで構成されている。ＭＰＵ４は、ＩＰＤ１をスイッチング制御する第一制御信号ＣＳ１と、ＦＥＴ２を制御する第二制御信号ＣＳ２とを出力する。上述したように、ＭＰＵ４は、例えば５Ｖ程度の電源電圧ＶＣＣで動作しており、出力する第一制御信号ＣＳ１、第二制御信号ＣＳ２も、電圧ＶＣＣの範囲内の出力である。リニアソレノイド２０には、電圧ＶＤＤを用いて動作電流を与える必要があるので、非対称ハーフブリッジ１０の動作電圧は、電圧ＶＤＤである。従って、ＦＥＴ２をオン・オフ制御するためには、第二制御信号ＣＳ２の信号レベルを上げておく必要がある。このため、プリドライバ８が備えられている。ＭＰＵ４が出力する電圧ＶＣＣの信号レベルの第二制御信号ＣＳ２ａがプリドライバ８に入力され、電圧ＶＤＤの信号レベルの第二制御信号ＣＳ２ｂが出力されて、ＦＥＴ２のゲートに入力される。
【００３７】
尚、同様のことはＩＰＤ１に関しても言えることであり、ＩＰＤ１の構成によっては第一制御信号ＣＳ１もプリドライバによってレベル変換が必要である。本実施形態においては、ＩＰＤ１が、電圧ＶＣＣの信号レベルの制御信号ＣＳ１によって直接制御が可能な構成を採っているため、プリドライバを備えていない。
【００３８】
ここで、図２に基づいてＩＰＤ１の構成について説明する。ＩＰＤ１は、ＭＰＵなどの論理回路から直接駆動可能なハイサイドスイッチであって、少なくとも過電流の発生を検出する診断機能を有した半導体集積回路である。ＩＰＳ（インテリジェント・パワー・スイッチ（Intelligent Power Switch）も同義である。図２に示すように、ＩＰＤ１は、自己診断を行う診断部１１と、入力される第一制御信号ＣＳ１と診断部１１の診断結果とに基づいて開閉制御されるスイッチ部（パワーＭＯＳＦＥＴ）１２と、診断部１１の診断結果を出力する診断結果出力部１３とを有している。
【００３９】
診断部１１は、過電流検出部１１ａと、過熱検出部１１ｂと、オープン検出部１１ｃとから構成されている。過電流検出部１１ａは、スイッチ部１２を流れる電流を検出することにより、非対称ハーフブリッジ１０を流れる電流を監視する。リニアソレノイド２０やブリッジ回路に短絡などが生じた場合の過電流を検出する。過熱検出部１１ｂは、過電流や長時間使用によるＩＰＤ１の過熱を検出する。過電流や過熱が検出された場合には、入力Ｉ／Ｆ部１７を介して入力された第一制御信号ＣＳ１が、保護部１８によって制御される。その結果、スイッチ部１２のオン時間が削減され、スイッチ部１２を介して供給される電流が削減される。ここで、オン時間の削減とは、例えば、オン時間中にさらに細かくオン・オフ制御するスイッチング制御も含むものである。このように、過電流及び過熱が検出された場合には、何れの場合にも、ＩＰＤ１は、出力する電流を削減又は停止するように制御する。
【００４０】
オープン検出部１１ｃは、主にスイッチ部１２がオフ状態の時に、ＩＰＤ１の出力端子の電圧を検出することによって、ＩＰＤ１に接続される負荷のオープンを検出する。正常時には、電源電圧ＶＤＤから、オープン検出部１１ｃ、ＩＰＤ１の出力端子、ブリッジ回路やリニアソレノイド２０を介してグラウンドへと続く回路が形成される。ブリッジ回路やリニアソレノイド２０のインピーダンスは低いので、オープン検出部１１ｃのインピーダンスは、ブリッジ回路やリニアソレノイド２０のインピーダンスよりも充分高い値に設定可能である。この場合、等価回路としては、電電圧ＶＤＤ−オープン検出部１１ｃ−出力端子−グラウンド、となる。従って、ＩＰＤ１の出力端子はＬレベルとなる。しかし、ブリッジ回路やリニアソレノイド２０に断線や劣化があると、インピーダンスが非常に大きくなる。この場合、等価回路は、電圧ＶＤＤ−オープン検出部１１ｃ−出力端子−高インピーダンス−（グラウンド）、となる。その結果、ＩＰＤ１の出力端子の電圧は、Ｈレベルとなるか、少なくともＬレベルとは言えない値の電圧となる。従って、オープン検出部１１ｃにより、ＩＰＤ１の出力端子の電圧を検出することで、ブリッジ回路やリニアソレノイド２０に生じている断線や劣化を検出する。
【００４１】
診断部１１で検出された診断結果は、診断結果出力部１３に入力され、診断結果出力部１３は診断結果ＤＳ１をＩＰＤ１から出力する。診断結果ＤＳ１は、ＭＰＵ４にそのまま入力可能なように、電圧ＶＣＣの範囲の信号レベルとして出力される。本例のＩＰＤ１は、診断結果ＤＳ１を出力する出力端子を１つだけ有している。診断結果出力部１３には、入力Ｉ／Ｆ部１７を介して第一制御信号ＣＳ１の論理値も入力される。診断結果ＤＳ１は、診断部１１による診断結果と第一制御信号ＣＳ１とに基づいて、下記のような信号レベルで出力される。
【００４２】
診断部１１が、過電流、過熱、オープンの何れも検出していない場合、診断結果ＤＳ１は、第一制御信号ＣＳ１と同じ論理レベルで出力される。つまり、第一制御信号ＣＳ１がＨレベルのときはＨレベル、ＬレベルのときはＬレベルの出力となる。
【００４３】
診断部１１が、過電流、過熱の何れかを検出している場合、診断結果ＤＳ１は第一制御信号ＣＳ１の論理レベルに拘らず、論理レベルＬで出力される。即ち、スイッチ部１２をオン状態にすべき、第一制御信号ＣＳ１のＨレベルの時に、制限が掛かってスイッチ部１２をオン状態にすることができないことを示している。
【００４４】
診断部１１が、オープンを検出している場合、診断結果ＤＳ１は第一制御信号ＣＳ１の論理レベルに拘らず、論理レベルＨで出力される。即ち、スイッチ部１２がオフ状態にすることで、ＩＰＤ１の出力端子がＬレベルとなるはずの、第一制御信号ＣＳ１がＬレベルの時に、ＩＰＤ１の出力端子がＨレベルであることを示している
【００４５】
ＭＰＵ４は、第一制御信号ＣＳ１の論理レベルを把握しているので、第一制御信号と、ＩＰＤ１より出力される診断結果ＤＳ１とに基づいて論理的に非対称ハーフブリッジ回路１０及びリニアソレノイド２０の動作状態を判定する。
上述したようなＩＰＤ１の内部での信号情報処理は、ＭＰＵ４と同様にＣＭＯＳやＴＴＬレベルの信号レベルである電圧ＶＣＣの範囲内で行われ、診断結果ＤＳ１も同様の信号レベルで出力される。このため、ＩＰＤ１は、入力される電圧ＶＤＤを降圧するレギュレータ１６を備えて、電源電圧ＶＣＣに相当する電圧ＶＣを生成している。
【００４６】
本例のＩＰＤ１は、ＭＰＵ４からの第一制御信号ＣＳ１をそのまま入力しているため、電圧ＶＤＤをスイッチングするスイッチ部１２を駆動するためのドライバ１４を有している。ドライバ１４は、電圧ＶＤＤの電圧レベルまで第一制御信号ＣＳ１を昇圧するだけでは、不十分である。つまり、スイッチ部１２は電気的特性上有利なＮチャネル・パワーＭＯＳＦＥＴを用いて構成される。前述のように、ハイサイドスイッチとして使用するＮチャネルＭＯＳＦＥＴに対して充分なゲート−ソース間電圧を得るためには、電圧ＶＤＤよりも高い電圧が必要である。このため、ＩＰＤ１は昇圧手段として、チャージポンプ１５を有している。
【００４７】
チャージポンプ１５は、コンデンサの充放電を用いた昇圧回路である。コンデンサを充電する時間を要するため、ＩＰＤ１の有するスイッチ部１２は、概ね１〜５ｋＨｚ程度のスイッチング特性に留まる。従って、防振装置のように物体の振動を検出してその振動を打ち消すようにリニアソレノイドを１５ｋＨｚ程度以上の周波数でスイッチング制御するような場合には、応答性に課題がある。
【００４８】
そこで、本実施形態では、ＩＰＤ１をハイサイドスイッチとし、ＮチャネルＭＰＳＦＥＴ２をローサイドスイッチとして、非対称ハーフブリッジ１０を構成し、ＥＦＴ２をパルス幅変調された第二制御信号ＣＳ２に基づいて開閉制御されるようにしている。
また、非対称ハーフブリッジ１０においてそれぞれのスイッチ手段と対称な辺には、逆方向接続されたダイオード３（３ａ、３ｂ）がフライホイールダイオードとして備えられている。
【００４９】
ここで、ハイサイドスイッチとしてのＩＰＤ１に対する第一制御信号ＣＳ１をＨレベルに固定し、ローサイドスイッチとしてのＦＥＴ２に対する第二制御信号ＣＳ２をパルス幅変調すると、リニアソレノイド２０への電流供給を精密に制御することができる。第二制御信号ＣＳ２がＬ状態の場合、ＦＥＴ２はオフされるが、このとき、ＩＰＤ１がオープン検出してしまう場合がある。もちろん、ＭＰＵ４は、第二制御信号ＣＳ２をＬ状態として出力していることを把握しているため、ＩＰＤ１のオープン検出を無視するようにしてもよい。本実施形態においては、ＭＰＵ４による排他処理も省略できるように、非対称ブリッジ１０のローサイド側に、ＦＥＴ２と並列に抵抗器Ｒが備えられる構成としている。
第二制御信号ＣＳ２がＬ状態の場合、ＦＥＴ２はオフされるが、抵抗器Ｒを介してグラウンドとの接続が維持される。抵抗器Ｒの定数は、電源電圧ＶＤＤ、ＩＰＤ１のオープン検出回路１１ｃの抵抗定数及びオープン検出電圧などの電気的特性、などより適宜定める。つまり、抵抗器Ｒのインピーダンスが高すぎて、ＩＰＤ１がオープン検出することがないような値を設定すればよい。
【００５０】
また、ＭＰＵ４がＡ／Ｄコンバータ（analogue to digital converter）を備えているような場合には、抵抗器Ｒのハイサイド側の端子電圧を第二診断結果ＤＳ２として、ＭＰＵ４に入力してもよい。もちろん、ＭＵＰ４とは別に、Ａ／Ｄコンバータや比較器が備えられ、その結果がＭＰＵ４に出力されるものであってもよい。
【００５１】
本実施形態においては、抵抗器Ｒは複数の抵抗器(抵抗部品)Ｒ１とＲ２とで構成されている。そして、これら抵抗器Ｒ１とＲ２とにより分圧された電圧値が第二診断結果ＤＳ２としてＭＰＵ４へ出力される。これは、電源電圧ＶＤＤで動作するブリッジ回路と、電源電圧ＶＳＳで動作するＭＰＵ４との間の電圧変換機能と捉えてもよい。
【００５２】
ＭＰＵ４は、第一制御信号ＣＳ１及び第二制御信号ＣＳ２が出力され、ＩＰＤ１より出力される診断結果ＤＳ１及び第二診断結果ＤＳ２が入力される制御装置である。従って、ＭＰＵ４は、第一制御信号ＣＳ１及び第二制御信号ＣＳ２と、診断結果ＤＳ１とに基づいて論理的に非対称ハーフブリッジ１０及びリニアソレノイド２０の動作状態を判定することができる。また、第二診断結果ＤＳ２に基づいて非対称ハーフブリッジ１０及びリニアソレノイド２０の動作状態を判定することができる。
【００５３】
以上、説明したように本発明によって、電源投入時における突入電流や、遮断時における回生電流が与える影響を抑制すると共に、小規模な構成によるリニアソレノイドの駆動装置を提供することができる。
【図面の簡単な説明】
【００５４】
【図１】本発明に係るリニアソレノイドの駆動装置の構成を模式的に示す回路図
【図２】図１のＩＰＤの構成を模式的に示すブロック図
【符号の説明】
【００５５】
１      ＩＰＤ（第一スイッチング手段）
２      パワーＭＯＳＦＥＴ（第二スイッチング手段）
３      フライホイールダイオード
４      ＭＰＵ（制御装置）
５      パワーＭＯＳＦＥＴ（第二開閉器）
５ａ    トランジスタ部（第二開閉器）
５ｂ    フライホイールダイオード（第二開閉器）
６      プリチャージ回路
１０    非対称ハーフブリッジ（ブリッジ回路）
１１    診断部
１１ａ  過電流検出部
１２    スイッチ部
１３    診断結果出力部
２０   リニアソレノイド
３０    バッテリ
５０    イグニッションスイッチ（第一開閉器）
Ｃ１    コンデンサ
ＣＳ１  第一制御信号
ＣＳ２  第二制御信号
ＤＳ１  診断信号（診断結果）
【図１】
2007019293.tif 000003
【図２】
2007019293.tif 000004